(57)【要約】【課題】  従来の介護室は、介護ベット、簡易トイレ、手すり車椅子、歩行訓練器を配設されていた。要介護者は、身体不自由によりベットに寝たきりの状態で入浴、トイレ、台所に行くことで容易でなくなり、介護人等の介助が必要であった、本発明は要介護者を自分で自主的に行動できる喜びを与えるものである。【解決手段】一人又は複数の要介護者が自力にて移動する方法は、室内の双方の天井付近に配設した多数のワイヤーロープに多数の滑車及びガイドブシュを組み込み、双方のワイヤーロープとワイヤーロープのスパンの間に多数のワイヤーを張り双方の滑車やガイドブシュにワイヤーに連結すれば、これに吊り下げ器具を多数つけることができ、要介護者は吊り下げ器具により支えられることによって室内に設置された台所、トイレ、浴室に自由に移動可能であり、共同使用も可能である手法である。【選択図】図５
2015198780.tif 000002
【特許請求の範囲】
【請求項１】
室内の対向する壁面上部である天井付近の双方に多数のワイヤーロープを設置し、そのワイヤーロープに多数の滑車及びガイドブシュを取り付け、このワイヤーロープに垂直に交わる方向へ多数のワイヤーを張り、そのワイヤーを、双方のワイヤーロープに取り付けられた滑車およびガイドブシュに連結し、そのワイヤーに多数の吊り下げ器具をセットすれば、一人又は複数の要介護者が天井付近に配設されたワイヤーロープとワイヤーに囲まれた範囲で、自由に移動する事を可能とすることが特徴である室内用歩行補助装置。
【発明の詳細な説明】
【技術分野】
【０００１】
本発明は歩行補助装置であり、要介護者が自力にて補助具を使用して、移動するための装置である。主に、要介護者又は身体障害者用に用い、要介護人が自由に移動可能となるような補助具を多数つけておけば、介助人なしで自力で行動できる。
【背景技術】
【０００２】
従来の介護用の走行・歩行補助装置は例えば、特開２０００−３５０７５０号や特開平１０−９４５７１号がある。
前者は重度の要介護者向けであり．後者はー方向の前後移動だけで、左右には移動できない。
【先行技術文献】
【特許文献】
【０００３】
【特許文献１】特開２０００-３５０７５０号公報
【特許文献２】特開平１０-９４５７１号公報
【発明の概要】
【発明が解決しようとする課題】
【０００４】
従来の介護室は、介護ベット、簡易トイレ、手すり車椅子、歩行訓練器を配設されていた。  要介護者は、身体不自由によりベットに寝たきりの状態で入浴、トイレ、台所に行くことで容易でなくなり、介護人等の介助が必要であった、本発明は要介護者を自分で自主的に行動できる喜びを与えるものである。
従来の居室は、ベット、トイレ、手すり、車椅子、歩行器などが配設されていた要介護者はベットで寝たきりになりやすく、トイレ、入浴など介助人の助けが必要で、介助人や気配りに問題があった。
【課題を解決するための手段】
【０００５】
本発明はこのような不便をなくすためになされるもので、要介護者が、自力で室内、トイレ、浴室、台所まで自由に移動できるように考えられた吊り下げ手法である。
本発明は、自主的に生きる行動力を蘇らせることにより、要介護者は、室内、トイレ、台所、浴室に合った多数の介助補助器を吊り下げておけば、自分に合った補助具を選んで行動することが出来る。
【０００６】
又、要介護者同士が互いに協力し合うことで、介助人の負担を軽くすることができる。
上記手法を実現する為、本発明は次のようなものである。
室内の天井付近の一側面と並行な他側面とにそれぞれに多数のワイヤーロープを設け、そのワイヤーロープに移動可能な滑車やガイドブシュを組み込み、ワイヤーロープとワイヤーロープのスパンの問にワイヤーを張り、双方の滑車やガイドブシュにワイヤーを連結して、そのワイヤー上に自在に動く吊り下げ器具を取り付けてなる歩行補助装置であって、要介護者が吊り下げ器具により支えられることによって室内を自由に移動可能とする装置である。
【０００７】
介護者に合った多数の介護器具を取り付けることができる為、要介護者は自助努力することが可能となり、介助人の負担を著しく軽減する事が可能である  。上記不具合をなくすため、本発明は次のような構成としている。請求項１に記載した吊り下げ手法は歩行用で室内の天井付近のー側面と平行な他を側面とにそれぞれにワイヤーロープを多数設け、そのワイヤーロープのそれぞれに多数の滑車及びガイドブシュを組み込み、ワイヤーロープとワイヤーロープのスパンの間にワイヤーを張り、双方の滑車及びガイドブシュにワイヤーを連結すれば、そのワイヤーに多数の吊り下げ器具を取り付けることができる。これで要介護者は自由に３６０度移動できる。
【発明の効果】
【０００８】
以上、説明したように本発明は一方向の移動でなく、360度自由に移動でき、ワイヤーに吊り下げた多数の補助器具により、自分に合った補助具をつければ、介助人なしで行動できる。また、室内にトイレ、浴室、台所を設置すれば、複数の人が共同利用でき、他の部屋と連結すれば軽作業も可能となった。
又、介助人の負担も軽減し要介護者のリハビリに有効であった。ワイヤーロープとワイヤー内に要介護者及び障害者に合った、器具を設置すれば介助人の負担が軽減され、又、吊り下げ器具の改良や発明に弾みがつき医療費の抑制に役立つものと思う。
【図面の簡単な説明】
【０００９】
【図１】介護用天井平行リフト装置の従来例
【図２】歩行補助装置の従来例
【図３】本発明の平面図
【図４】本発明の側面図
【図５】本発明の概念図
【図６】本発明が適用される室内の説明図
【図７】滑車とワイヤーの組立図
【図８】ワイヤーロープとワイヤーロープ取付金具の組立図
【図９】付替え用吊り下げ具の組立図
【図１０】トイレ・浴室内で移動できる天井装置
【図１１】ガイドブシュとワイヤーの組み立て図
【発明を実施するための形態】
【００１０】
次に、本発明の実施形態を添付図面に基づきさらに詳細に説明する。図５は、本発明の歩行補助装置の代表的実施形態を示す概念図であり、図３と図４はその詳細を示している。図中符号Aは要介護者室、Bは要介護者、Cはベッド、Dはトイレ、Eは浴室、Fは台所である。また、１８は付替え用吊下げ具、１９は滑車、２０はワイヤー、２３は天井ワイヤーロープを示している。本明細書で使用するX方向及びY方向は図５に示している。
本発明の歩行補助装置を装備する要介護者室Aは、壁面パネルと天井パネル（共に図示せず）を装着した略直方体のものである。
図３や図４で示すように、本発明は要介護者や身体障害者が、天井付近の一側面と多側面とに配設された多数のワイヤーロープ２３の間にワイヤーロープと垂直に交わる方向へ多数のワイヤー２０が配設され、両側面のワイヤーロープとワイヤーに囲まれた範囲内を自由に３６０度移動することが可能で、ルーム内に設置されているトイレ、台所、浴室を使用することができる。
図５の本発明の介護用の歩行補助装置は、歩行用で室内の天井付近のー側面と平行な他側面とにそれぞれにワイヤーロープを多数設置し、そのワイヤーロープのそれぞれに多数の滑車やガイドブシュを組み込む。一側面の滑車やガイドブシュ間と多側面の滑車やガイドブッシュとの間をワイヤーで連結し、その張られたワイヤーに多数の吊り下げ具を取り付けることにより要介護者は自由に移動可能になり、ワイヤーロープとワイヤーに囲まれた範囲内を自由に移動できるため、本人の自力でトイレ、浴室、台所が利用できる。
図６は、室内の配置図である。
図７は、ワイヤーロープに滑車を取り付け、滑車にシヤックルとワイヤーを取り付けた組立図である。ワイヤーの取り付けは、市販品の玉掛けワイヤーを使用するが、他の方法でもよい。二本掛けを基本とするが、軽度の荷重であれば、一本掛けでも対応できる。
図８は、ワイヤーロープ取付金具２１とワイヤーロープ２３を組み立て、滑車１９およびガイドブシュ３２を組み込んだものである。８−１はワイヤーロープ１本をコの字型に曲げながらワイヤーロープ取り付け金具に差し込んで組み立てたものである、ワイヤーロープがコの字型に曲がるところにローラーをはめ込んだものである、このローラーはワイヤーロープの張りが緩んだときはローラーの大きさを変えて張り具合を調正するもで、またローラーのカーブによってワイヤーの損傷を防止する役目もある、そしてワイヤーの両端をアルミスリーブで圧縮締めとする、８−２はワイヤーロープ２本で取り付け金具にコの字型に曲げ差し込み、ローラーを挟み込み、両端に落下防止用アルミスリーブ２２を取り付け、圧縮し、締め、落下防止とした。８−３はワイヤーロープを４本ワイヤーロープ取り付け金具に取り付けその両端にアルミスリーブを差し込み圧縮締めとする。圧縮や溶接止めは専門業者に任せる
図９は、図５のY方向へ移動するとき、吊り下げ具がワイヤーに接触して移動できないときに使い、吊り下げ具を外して移動可能なワイヤーに付け替えることで移動可能となる吊り下げ器具である。２５、２９は交換用の車で、２７、２８は落下防止用のボルトとナットである。２６は着脱を可能にするシャフトである。そして、２５、２９の交換用の車は、金属か樹脂で作る。交換用の車は、市販品でもよい。３１は、角材で樹脂やゴム等で作り、この部品は、角材の底辺の中心線上に動く方向へワイヤー用の溝を作り、その対角する面に穴をあけ、２６のシしゃャフトに取り付ける。また、この角材がワイヤー上で移動するとき、角材の溝の長さでブレーキの効き目が変わるので、効き具合に合わせて長さを決める。これは、ベットから起きる時や動いては困る時に使う。
【００１１】
トイレや浴室に入る時、入る向きの天井の端から奥のほうへ、天井に十字型に切り溝を入れ、吊り下げ金具が通る通路を作れば、要介護者はワイヤーに吊り下がったまま、外から自由にトイレや浴室に入ることができ、十字型に前後左右に移動できる。
図１０は、トイレや浴室の天井に大きめに切りぬいた円形や角形の穴をくりぬき、この穴に合わせてパイプや木材等で円形や角形の枠を作り、この枠に合わせて、布やビニールやポリエチレンで作られた長方形の袋を作り、この袋の口のあいたほうにパイプや木材等で作られた枠にこの袋を取り付け、天井に設置する。または、くりぬいた天井の穴を通して、下側の天井にこの枠を取り付けることもできる。そして、反対側の穴のあいてない方の袋の頂点の中心に小さな穴をあけ、そこへ、吊り下げ金具１８のシャフトに袋の穴を通して紐で袋をシャフトに縛り、固定する。これで、室内の湿気や匂いが防げる。そして上方にあるワイヤーに吊り下げ、吊り下げ補助具を付ければ要介護者は、切り抜いた範囲を自由に移動できる。吊り下げ具を使用していないときは、外しておけばほかのワイヤーの移動を妨げない。また、長い袋にすると、移動する範囲が広がる。また、図示しないが、他の実用例として、トイレや浴室の天井に布やビニール等の材質のフィルム３８を取り付け板３９に挟んで密閉し、この取り付け板３９を天井に配置して、このフィルムの中央に小さな穴をあけ、この穴を通してこれに吊り下げ金具１８を取り付け板３９の上方に配置されたワイヤーに取り付けて吊り下げることも可能である。
図１１は、ガイドブッシュ３２にワイヤーロープ２３を差し込み、ガイドブッシュ３２はワイヤーロープに沿って自由に移動できる。ワイヤー２０はガイドブッシュ３２に巻きつけて端部をアルミスリーブに差し込み、圧縮締めして固定している。それにより一側面のワイヤーロープ上のガイドブシュと多側面のワイヤーロープ上のガイドブッシュとの間にワイヤー２０が張り渡されることになる。３２のガイドブッシュは丸材の金属や樹脂やゴムで作り丸材にワイヤーロープが通る穴をあけたものである。これは、滑車が動きが良すぎるので、素材のままで滑りを抑えて、移動できるようにしたものである。
以上、本発明の歩行補助装置により、浴室、トイレ、台所等に介助人なしで自由に移動できた。
【符号の説明】
【００１２】
A  要介護室
B  要介護者
C  ベット
Ｄ  トイレ
E  浴槽
１３  溶接取り付けナット
１４  タップネジ立て
１５  ローラー
１６  落下防止版
１７  ボルト
１８  付替え用滑車と吊下げ具
１９  滑車
２０  ワイヤー
２１  ワイヤー取付金具
２２  アルミスリーブ
２３  ワイヤーロープ
２４  カラー
２５  交換用車
２６  シャフトまたはパイプ
２７  ボルト
２８  ナット
２９  交換用車
３０  ワイヤー取付金具を取り付ける穴
３１  交換用角材
３２  ガイドブシュ
３３  シャックル
３４  スナップリング
３５  カラー
３８  フィルム袋
３９  フィルム袋を取り付ける枠
【図１】
2015198780.tif 000003
【図２】
2015198780.tif 000004
【図３】
2015198780.tif 000005
【図４】
2015198780.tif 000006
【図５】
2015198780.tif 000007
【図６】
2015198780.tif 000008
【図７】
2015198780.tif 000009
【図８】
2015198780.tif 000010
【図９】
2015198780.tif 000011
【図１０】
2015198780.tif 000012
【図１１】
2015198780.tif 000013